(57)【要約】【課題】移動手摺に対向して設けた清掃具が要時に変位し、移動手摺内面を摺擦する清掃作用を実現する乗客コンベヤーの移動手摺装置を得る。【解決手段】通常時は作動機構１２により清掃具１８が移動手摺４内面から離れ、制御装置１９の動作により作動機構１２が作動し清掃具１８が移動手摺４の内面に接し、移動手摺４の移動により内面を摺擦して異物を排除する。したがって、清掃具１８が移動手摺４の内面を常時摺擦することがなく、清掃具４の早期損耗を防ぐことができる。また、清掃具１８が移動手摺４に対向した状態に常設される。このため、保守作業時に清掃具１８の仮設及び撤去の手数を要しない。これによって、移動手摺４内面の清掃に要する手数を省くことができて保守費を節減する。【選択図】        図１
2004277162.tif 000002
【特許請求の範囲】
【請求項１】
乗客コンベヤーの主枠に立設された欄干の外周に設けられた案内レールと、この案内レールに移動自在に嵌合されて循環移動する移動手摺と、上記移動手摺の内面に対向して配置された清掃具と、この清掃具を常時は上記移動手摺内面から離れた後退位置に保持し、動作して上記清掃具を上記移動手摺内面を摺擦する前進位置に変位する作動機構と、適時に上記作動機構を付勢し上記清掃具を前進位置に変位させる制御装置とを備えた乗客コンベヤーの移動手摺装置。
【請求項２】
作動機構を、油圧アクチュエータからなるものとし、また乗客コンベヤーの踏板鎖に給油すると共に上記油圧アクチュエータに圧油を供給する給油装置を備えたことを特徴とする請求項１記載の乗客コンベヤーの移動手摺装置。
【請求項３】
制御装置を、給油装置を制御して油圧アクチュエータへの圧油の供給及び踏板鎖への給油を同時に行うものとしたことを特徴とする請求項２記載の乗客コンベヤーの移動手摺装置。
【請求項４】
作動機構を、電動アクチュエータからなるものとしたことを特徴とする請求項１記載の乗客コンベヤーの移動手摺装置。
【請求項５】
制御装置を、要時において人為操作によって作動機構を動作させる機能を有するものとしたことを特徴とする請求項１記載の乗客コンベヤーの移動手摺装置。
【請求項６】
横断面溝形をなし溝形の開口部側に移動手摺が係合された案内レールの溝形内に作動機構の少なくとも一部及び清掃具が装備されたものとしたことを特徴とする請求項１記載の乗客コンベヤーの移動手摺装置。
【発明の詳細な説明】
【０００１】
【発明の属する技術分野】
この発明は、エスカレーター又は移動歩道の主枠に立設された欄干の外周に装備されて循環移動する乗客コンベヤーの移動手摺装置に関する。
【０００２】
【従来の技術】
従来の乗客コンベヤーの移動手摺装置は、主枠に立設された欄干の外周に横断面溝形の案内レールが設けられて、この案内レールの溝形の開口部側に移動自在に嵌合された移動手摺が駆動されて循環移動する。そして、案内レールの溝内にブラシからなる清掃具が設けられて移動手摺の内面を摺擦するように構成されている。
【０００３】
従来の乗客コンベヤーの移動手摺装置は上記のように構成され、移動手摺の内面に堆積する移動手摺の帆布や案内レールの摩耗粉、また移動手摺外から侵入する塵埃等の異物が排除される。なお、移動手摺の内面の異物によって案内レールと移動手摺の間の移動抵抗が増したり、移動手摺の駆動機構における摩擦係数が低下したりして、移動手摺の正常な循環移動動作が損なわれることになる。（例えば、特許文献１参照）。
【０００４】
【特許文献１】
特許３０８１１０７号公報（第３頁、図３）
【０００５】
【発明が解決しようとする課題】
従来の乗客コンベヤーの移動手摺装置では、移動手摺に対向して定置した清掃具によって移動手摺内面が常時摺擦される。これにより、清掃具が早期に損耗して所要の移動手摺の清掃作用を得るために煩雑な手数が掛かるという問題点があった。また、清掃時に清掃具を仮設する場合には清掃作業時に作業員が移動手摺装置の要部を分解して清掃具を仮設することにより、清掃具の仮設及び撤去に手数が掛かり移動手摺清掃のために煩雑な作業を要するという問題点があった。
【０００６】
この発明は、かかる問題点を解消するためになされたものであり、移動手摺に対向して設けられた清掃具が要時に変位して移動手摺内面を摺擦する乗客コンベヤーの移動手摺装置を得ることを目的とする。
【０００７】
【課題を解決するための手段】
この発明に係る乗客コンベヤーの移動手摺装置においては、主枠に立設された欄干の外周に設けられた案内レールと、この案内レールに移動自在に嵌合されて循環移動する移動手摺と、移動手摺の内面に対向して配置された清掃具と、この清掃具を常時は移動手摺内面から離れた後退位置に保持し、動作して清掃具を移動手摺内面を摺擦する前進位置に変位する作動機構と、適時に作動機構を付勢して清掃具を前進位置に変位させる制御装置とが設けられる。
【０００８】
【発明の実施の形態】
実施の形態１．
図１〜図３は、この発明の実施の形態の一例を示す図で、図１はエスカレーターからなる乗客コンベヤーの要部を概念的に示す縦断面図、図２は図１のＡ−Ａ線断面拡大図、図３は図２のＢ−Ｂ線断面図である。図において、主枠１の幅方向の縁部に沿って欄干２が立設される。そして、横断面溝形をなす案内レール３が欄干２の外周に設けられて、案内レール３の溝形の開口部側に形成された案内部に移動自在に移動手摺４が嵌合され駆動機構（図示しない）によって駆動されて循環移動する。
【０００９】
また、主枠１内に駆動機５、駆動機５により駆動チェーン６を介して駆動される駆動鎖歯車７が設けられ、駆動鎖歯車７に巻掛けられた踏板鎖８に多数の踏板（図示しない）が連結されて主枠１内を循環移動する。さらに、主枠１内に給油装置９が設けられて、それの給油管１０に接続された給油口１１が踏板鎖８に対向して配置される。
【００１０】
そして、油圧アクチュエータからなる作動機構１２が案内レール３の溝内に設けられて給油管１０によって給油装置９に接続される。なお、作動機構１２は油圧シリンダ１３、油圧シリンダ１３に嵌合されたピストン１４、油圧シリンダ１３とピストン１４の背面との間に設けられてピストン１４を下方に付勢する圧縮コイルばね１５及び油圧シリンダ１３の下部とピストン１４の間に形成された油圧室１６によって構成されている。
【００１１】
また、ピストン１４の油圧シリンダ１３からの突出端に支持台１７が設けられて、支持台１７に移動手摺４の内面に対向して配置されたブラシからなる清掃具１８が装着されている。そして、制御装置１９が駆動機５、給油装置９に接続されて乗客コンベヤーの運転を制御し、また適時に給油装置９を付勢する。なお、給油装置９が付勢されると給油口１１から潤滑油が供給され、また作動機構１２に圧油が供給される。
【００１２】
上記のように構成された乗客コンベヤーの移動手摺装置において、移動手摺４に対向して作動機構１２、清掃具１８が常設される。また、制御装置１９の動作によって駆動機５が付勢されて駆動鎖歯車７が回転し、踏板鎖８に連結された踏板が主枠１内を循環移動して乗客コンベヤーが運転される。なお、通常時においては作動機構１２の油圧室１６に圧油が供給されず、またピストン１４は圧縮コイルばね１５によって清掃具１８が押圧されて下降し図３に示す後退位置に配置される。
【００１３】
そして、乗客コンベヤーの運転時間の累計が所定値となると制御装置１９が動作し給油装置９が付勢される。これによって、給油口１１から踏板鎖８に潤滑油が供給され、また作動機構１２の油圧室１６に圧油が供給されてピストン１４が圧縮コイルばね１５の押圧力に抗して上昇する。そして、ピストン１４の上昇により清掃具１８も上昇し前進位置に変位して移動手摺４の内面に接する。そして、乗客コンベヤーが運転されて移動手摺４が移動することによって移動手摺４の内面が清掃具１８によって摺擦される。
【００１４】
次いで、給油装置９の付勢後の所定時間が経過すると制御装置１９が動作して給油装置９が消勢される。これにより、踏板鎖８への潤滑油供給が停止し、また作動機構１２への圧油供給が停止して圧縮コイルばね１５の押圧力によって、清掃具１８が移動手摺４内面から離れた後退位置に復帰する。
【００１５】
このような、作動機構１２の動作により清掃具１８による移動手摺４内面の摺擦によって移動手摺４の内面の異物が排除されて、移動手摺４の駆動機構による所要の駆動作用が得られ移動手摺４が正常に循環移動する。また、制御装置１９の動作によって適時に作動機構１２が動作して移動手摺４内面が清掃具１８によって所定時間摺擦される。
【００１６】
このため、移動手摺４内面が清掃具１８によって常時摺擦されず、清掃具１８が早期に損耗することを防ぐことができる。また、清掃具１８等が移動手摺４に対向して常設されるので、清掃作業時に清掃具１８の仮設及び撤去の手数を要しない。したがって、移動手摺４清掃のための手数を省くことができ保守費を節減することができる。
【００１７】
また、制御装置１９の動作によって給油装置９が付勢され、潤滑油供給、移動手摺４清掃が同時に行われるので、移動手摺４清掃のために別の制御手段を設ける必要がなく費用を節減することができる。しかし、給油装置９を必要に応じて人為操作によって動作するものとし、人為操作により要時に給油装置９を動作させて清掃具１８を前進位置に移動して移動手摺４を清掃することもできる。
【００１８】
また、作動機構１２、清掃具１８が案内レール３の溝形内に設けられるので、清掃具１８によって排除された異物が案内レール３の溝形内に落下する。これに対して、清掃具１８の配置場所に対応した箇所のみにおいて移動手摺４を外すことによって落下した異物を容易に回収することができる。なお、作動機構１２、清掃具１８を移動手摺４の帰路側、すなわち主枠１内における適所に配置しても以上説明した作用を得ることができる。
【００１９】
また、清掃具１８の損耗が減少して長寿命化するが、清掃具１８の交換時に清掃具１８の配置場所に対応した箇所のみにおいて移動手摺４を外して、支持台１７から清掃具１８を交換することができる。このため、清掃具１８の交換作業が容易にでき保守作業の能率を向上することができる。
【００２０】
実施の形態２．
図４及び図５は、この発明の他の実施の形態の一例を示す図で、図４は前述の図３相当図、図５は図４の清掃具の摺擦状況を示す図である。なお、図４及び図５の他は前述の図１〜図３と同様に乗客コンベヤーの移動手摺装置が構成されている。図において、図１〜図３と同符号は相当部分を示し、案内レール３の溝内に電磁作用によって動作する電動アクチュエータからなる作動機構１２が案内レール３の溝内に設けられて、後述する作動機構１２のコイルが制御装置１９に接続される。
【００２１】
そして作動機構１２は、コイル２０に挿入されて水平方向に動作するプランジャー２１、案内レール３の溝底に設けられた軸受２２、下端が軸受２２に枢着されて上端に支持台１７が締結された作動腕２３、一端が作動腕２３の長手中間に枢着されて他端はプランジャー２１の先端にピン２４によって枢着されたリンク２５、案内レール３の溝底に設けられて長手が水平に配置された溝穴によってピン２４の移動を案内する案内具２６並びに両端がそれぞれ軸受２２及びピン２４に係合されてピン２４をコイル２０方向に付勢する圧縮コイルばね２７によって構成されている。
【００２２】
上記のように構成された乗客コンベヤーの移動手摺装置においても、移動手摺４に対向して作動機構１２、清掃具１８が常設される。また、制御装置１９の動作によって駆動機５が付勢されて駆動鎖歯車７が回転し、踏板鎖８に連結された踏板が主枠１内を循環移動して乗客コンベヤーが運転される。なお、通常時において作動機構１２のコイル２０が消勢されてプランジャー２１は圧縮コイルばね２７によって押圧される。
【００２３】
これにより、リンク２５を介して作動腕２３が傾斜姿勢となり清掃具１８は図４に示す後退位置に配置される。そして、乗客コンベヤーの運転時間の累計が所定値となると制御装置１９が動作し作動機構１２が付勢される。これによって、プランジャー２１は圧縮コイルばね２７の付勢力に抗して軸受２２方向に突出する。
【００２４】
このため、リンク２５を介して作動腕２３が鉛直姿勢となり清掃具１８は図５に示す前進位置に配置されて移動手摺４の内面に接し、乗客コンベヤーが運転されて移動手摺４が移動することによって移動手摺４の内面が清掃具１８によって摺擦される。そして、作動機構１２の付勢後の所定時間が経過すると制御装置１９が動作して作動機構１２が消勢されて、清掃具１８が移動手摺４内面から離れた後退位置に復帰する。したがって、詳細な説明を省略するが図４及び図５の実施の形態においても図１〜図３の実施の形態と同様な作用が得られる。
【００２５】
【発明の効果】
この発明は以上説明したように、主枠に立設された欄干の外周に設けられた案内レールと、この案内レールに移動自在に嵌合されて循環移動する移動手摺と、移動手摺の内面に対向して配置された清掃具と、この清掃具を常時は移動手摺内面から離れた後退位置に保持し、動作して清掃具を移動手摺内面を摺擦する前進位置に変位する作動機構と、適時に作動機構を付勢して清掃具を前進位置に変位させる制御装置とを設けたものである。
【００２６】
このような構成によって、通常時は作動機構によって清掃具が移動手摺内面から離れた後退位置に保持され、適時に動作する制御装置によって作動機構が作動して清掃具が前進位置に変位する。これにより、清掃具が移動手摺の内面に接し、乗客コンベヤーが運転されて移動手摺が移動することによって移動手摺の内面が清掃具によって摺擦されて移動手摺の異物が排除される。したがって、移動手摺内面が清掃具によって常時摺擦されず、清掃具が早期に損耗することを防ぐことができる。また、清掃具が移動手摺に対向して常設されるので、清掃具の仮設及び撤去の手数を要しない。したがって、移動手摺清掃のための手数を省くことができ保守費を節減する効果がある。
【図面の簡単な説明】
【図１】この発明の実施の形態１を示す図で、エスカレーターからなる乗客コンベヤーの要部を概念的に示す縦断面図。
【図２】図１のＡ−Ａ線断面拡大図。
【図３】図２のＢ−Ｂ線断面図。
【図４】この発明の実施の形態２を示す図で、前述の図３相当図。
【図５】図４の清掃具の摺擦状況を示す図。
【符号の説明】
１  主枠、２  欄干、３  案内レール、４  移動手摺、８  踏板鎖、９  給油装置、１２  作動機構、１８  清掃具、１９  制御装置。
【図１】
2004277162.tif 000003
【図２】
2004277162.tif 000004
【図３】
2004277162.tif 000005
【図４】
2004277162.tif 000006
【図５】
2004277162.tif 000007